(57)【要約】【課題】引っ張り力の作用に起因したズレを阻止して止水性能を維持することが可能なカバー固定式グロメット、及びワイヤハーネスを提供する。【解決手段】ワイヤハーネスに設けられるカバー固定式グロメット２１は、グロメット２９と、カバー３０とを備えて構成される。グロメット２９は、筒状のグロメットインナー３６と、弾性体のグロメットアウター３７とを備えて構成される。グロメットインナー３６は、グロメットアウター３７の装着部分になる装着部４１を有し、グロメットアウター３７はグロメットインナー３６の装着部４１を覆う収容部５１と、シール部分としてのリップ部５２とを有する。カバー３０は、グロメット２９を床下パネル２４に対し水密に固定するために備えられる。カバー本体部５５は、グロメットアウター３７の収容部５１の一部を押圧するための第一押圧突条６３を有する。また、グロメットインナー３６の装着部４１も、収容部５１の一部を押圧するための第二押圧突条４７を有する。【選択図】図５
2020198699.tif 000002
【特許請求の範囲】
【請求項１】
パネルの取付孔を貫通する電線に対し組み付けられるグロメットと、該グロメットを前記パネルに対し水密に固定するためのカバーとを備え、
前記グロメットは、前記取付孔に係合する筒状のグロメットインナーと、弾性体にて形成されて前記グロメットインナーに装着されるグロメットアウターとを備え、
前記グロメットインナーは、前記取付孔に挿通される筒状のインナー本体部と、前記取付孔に係合する可撓性の係合アームと、前記グロメットアウターの装着部分になる環状でフランジ形状の装着部とを有し、
前記グロメットアウターは、前記インナー本体部の筒開口を覆うアウター本体部と、該アウター本体部を貫通するように前記電線に対する挿通空間が形成される電線挿通部と、前記装着部における前記パネル側の第一面、該第一面の反対側の第二面、及び周縁部を覆うようにして前記装着部を収容する断面Ｕ字状の収容部と、該収容部に連成されて前記パネルに密着するリップ部とを有し、
前記カバーは、前記グロメットアウターを覆うカバー本体部と、前記パネルに固定される固定部とを有し、
前記カバー本体部は、前記装着部における前記第二面の側に向けて突出し且つ前記収容部の一部を弾性変形状態に押圧する第一押圧突条を有する
ことを特徴とするカバー固定式グロメット。
【請求項２】
請求項１に記載のカバー固定式グロメットにおいて、
前記装着部における前記第二面は、該第二面から前記カバー本体部に向けて突出し且つ前記収容部の前記一部を弾性変形状態に押圧する第二押圧突条を有する
ことを特徴とするカバー固定式グロメット。
【請求項３】
請求項２に記載のカバー固定式グロメットにおいて、
前記第一押圧突条及び前記第二押圧突条は、前記取付孔の径方向にずれた位置に且つ前記収容部の前記一部を断面Ｓ字状の弾性変形状態に押圧する位置に配置される
ことを特徴とするカバー固定式グロメット。
【請求項４】
請求項３に記載のカバー固定式グロメットにおいて、
前記第一押圧突条及び前記第二押圧突条は、前記取付孔を一周囲むような環状の突条に形成される
ことを特徴とするカバー固定式グロメット。
【請求項５】
請求項１、２、３又は４に記載のカバー固定式グロメットにおいて、
前記リップ部は、前記第一押圧突条の突出位置に合わせて配置される
ことを特徴とするカバー固定式グロメット。
【請求項６】
パネルの取付孔を貫通する電線と、該電線に対し組み付けられる請求項１、２、３、４又は５に記載のカバー固定式グロメットとを備えて自動車に配索される
ことを特徴とするワイヤハーネス。
【発明の詳細な説明】
【技術分野】
【０００１】
本発明は、パネルの取付孔を貫通する電線に対し組み付けられるグロメットと、このグロメットをパネルに対し水密に固定するためのカバーとを備えて構成されるカバー固定式グロメットに関する。また、カバー固定式グロメットを構成に含むワイヤハーネスに関する。
【背景技術】
【０００２】
従来のカバー固定式グロメットに関しては、下記特許文献１に開示される。図８において、カバー固定式グロメット１は、パネル２の取付孔３を貫通する電線４に対し組み付けられるグロメット５と、このグロメット５をパネル２に対し水密に固定するためのカバー６とを備えて構成される。グロメット５は弾性体であり、カバー６は金属部材である。電線４は、コルゲートチューブ７に挿通される。グロメット５は、コルゲートチューブ７を介して電線４に組み付けられる。グロメット５は、グロメット本体部８と、リップ部９とを有する。グロメット本体部８には、筒状の電線挿通部１０と、可撓部１１とが形成される。リップ部９は、グロメット本体部８の周縁からパネル２に向けて突出するような環状の部分に形成される。リップ部９は、この突出端がパネル２の外面に対し密着するような形状に形成される。上記突出端には、二条のリップが形成される（符号省略）。カバー６は、グロメット本体部８及びリップ部９を覆うカバー本体部１２と、パネル２に固定される固定部１３とを有する。固定部１３は、ボルト１４及びナット１５によりパネル２に固定される。上記構成において、カバー６がパネル２に対し固定されると、カバー６のカバー本体部１２がグロメット５のグロメット本体部８を面で押圧するような状態になる。そしてこの押圧に伴いリップ部９がパネル２に対し押し付けられると、グロメット５による止水構造１６が形成され、外部からの水分の浸入が阻止される。
【先行技術文献】
【特許文献】
【０００３】
【特許文献１】特開２０１６−２１０２１４号公報
【発明の概要】
【発明が解決しようとする課題】
【０００４】
上記従来技術にあっては、何らかの要因で図８の矢印Ｐ方向に電線４（コルゲートチューブ７）が曲げられると、或いは矢印Ｐ方向からの衝撃を受けたとすると、曲げや衝撃に起因して矢印Ｑ方向の引っ張り力が働き、これによりズレが生じた場合には、止水性能が低下してしまうという問題点を有する。
【０００５】
本発明は、上記した事情に鑑みてなされたもので、引っ張り力の作用に起因したズレを阻止して止水性能を維持することが可能なカバー固定式グロメットを提供することを課題とする。また、このカバー固定式グロメットを備えるワイヤハーネスを提供することも課題とする。
【課題を解決するための手段】
【０００６】
上記課題を解決するためになされた請求項１に記載の本発明のカバー固定式グロメットは、パネルの取付孔を貫通する電線に対し組み付けられるグロメットと、該グロメットを前記パネルに対し水密に固定するためのカバーとを備え、前記グロメットは、前記取付孔に係合する筒状のグロメットインナーと、弾性体にて形成されて前記グロメットインナーに装着されるグロメットアウターとを備え、前記グロメットインナーは、前記取付孔に挿通される筒状のインナー本体部と、前記取付孔に係合する可撓性の係合アームと、前記グロメットアウターの装着部分になる環状でフランジ形状の装着部とを有し、前記グロメットアウターは、前記インナー本体部の筒開口を覆うアウター本体部と、該アウター本体部を貫通するように前記電線に対する挿通空間が形成される電線挿通部と、前記装着部における前記パネル側の第一面、該第一面の反対側の第二面、及び周縁部を覆うようにして前記装着部を収容する断面Ｕ字状の収容部と、該収容部に連成されて前記パネルに密着するリップ部とを有し、前記カバーは、前記グロメットアウターを覆うカバー本体部と、前記パネルに固定される固定部とを有し、前記カバー本体部は、前記装着部における前記第二面の側に向けて突出し且つ前記収容部の一部を弾性変形状態に押圧する第一押圧突条を有することを特徴とする。
【０００７】
このような請求項１の特徴を有する本発明によれば、グロメットインナーの装着部を覆うようにしてグロメットアウターの収容部が装着され、そしてこの収容部の一部がカバーの第一押圧突条にて押圧されると、上記一部が装着部と第一押圧突条とにより押し潰されて挟み込まれた状態、すなわち弾性変形状態になることから、従来ではズレが生じるような引っ張り力が働いたとしても、その力は第一押圧突条にて押圧された位置まででリップ部には作用することがない。従って、本発明によれば、シール部分（止水部分）にズレを生じさせず止水性能を維持することができる。
【０００８】
請求項２に記載の本発明は、請求項１に記載のカバー固定式グロメットにおいて、前記装着部における前記第二面は、該第二面から前記カバー本体部に向けて突出し且つ前記収容部の前記一部を弾性変形状態に押圧する第二押圧突条を有することを特徴とする。
【０００９】
このような請求項２の特徴を有する本発明によれば、収容部の一部が装着部における第二面から突出する第二押圧突条によっても押圧され、そして弾性変形状態になることから、上記引っ張り力が働いたとしても、その力がリップ部まで作用することはなく、結果、止水性能を維持することができる。本発明によれば、第一押圧突条の他に第二押圧突条もあることから、より確実に止水性能を維持することができる。
【００１０】
請求項３に記載の本発明は、請求項２に記載のカバー固定式グロメットにおいて、前記第一押圧突条及び前記第二押圧突条は、前記取付孔の径方向にずれた位置に且つ前記収容部の前記一部を断面Ｓ字状の弾性変形状態に押圧する位置に配置されることを特徴とする。
【００１１】
このような請求項３の特徴を有する本発明によれば、第一押圧突条及び第二押圧突条が収容部の一部を断面Ｓ字状の弾性変形状態に押圧することから、上記引っ張り力が働いたとしても、その力に抗し易い断面形状に弾性変形させることができる。
【００１２】
請求項４に記載の本発明は、請求項３に記載のカバー固定式グロメットにおいて、前記第一押圧突条及び前記第二押圧突条は、前記取付孔を一周囲むような環状の突条に形成されることを特徴とする。
【００１３】
このような請求項４の特徴を有する本発明によれば、取付孔を一周囲む環状の突条に第一押圧突条及び第二押圧突条がそれぞれ形成されることから、様々な方向に上記引っ張り力が働いたとしても対応することができる。
【００１４】
請求項５に記載の本発明は、請求項１、２、３又は４に記載のカバー固定式グロメットにおいて、前記リップ部は、前記第一押圧突条の突出位置に合わせて配置されることを特徴とする。
【００１５】
このような請求項５の特徴を有する本発明によれば、第一押圧突条の突出位置に合わせてリップ部が配置されることから、リップ部によるシール（止水）に係り第一押圧突条の押圧を活用することができ、結果、止水性能を維持することができる。
【００１６】
また、上記課題を解決するためになされた請求項６に記載の本発明のワイヤハーネスは、パネルの取付孔を貫通する電線と、該電線に対し組み付けられる請求項１、２、３、４又は５に記載のカバー固定式グロメットとを備えて自動車に配索されることを特徴とする。
【００１７】
このような請求項６の特徴を有する本発明によれば、請求項１、２、３、４又は５に記載のカバー固定式グロメットを備えることから、より良いワイヤハーネスを提供することができる。
【発明の効果】
【００１８】
本発明のカバー固定式グロメットによれば、引っ張り力の作用に起因したズレを阻止して止水性能を維持することができるという効果を奏する。また、本発明のワイヤハーネスによれば、より良いものを提供することができるという効果を奏する。
【図面の簡単な説明】
【００１９】
【図１】本発明のカバー固定式グロメット及びワイヤハーネスの搭載状態の一実施形態を示す模式図である。
【図２】カバー固定式グロメット及びワイヤハーネスの斜視図である。
【図３】図２のカバー固定式グロメットの拡大図である。
【図４】図２のＡ−Ａ線断面図である。
【図５】図４の矢印Ｂ部分の拡大図である。
【図６】グロメットインナーの斜視図である。
【図７】カバーの斜視図である。
【図８】従来例のカバー固定式グロメット及び止水構造の断面図である。
【発明を実施するための形態】
【００２０】
ワイヤハーネスは、パネルの取付孔を貫通する電線と、この電線に対し組み付けられるカバー固定式グロメットとを備えて自動車に配索される。カバー固定式グロメットは、グロメットと、カバーとを備えて構成される。グロメットは、筒状のグロメットインナーと、弾性体のグロメットアウターとを備えて構成される。グロメットインナーは、グロメットアウターの装着部分になる装着部を有し、グロメットアウターはグロメットインナーの装着部を覆う収容部と、シール部分（止水部分）としてのリップ部とを有する。カバーは、グロメットをパネルに対し水密に固定するために備えられる。カバー本体部は、グロメットアウターの収容部の一部を押圧するための第一押圧突条を有する。また、グロメットインナーの装着部も、収容部の上記一部を押圧するための第二押圧突条を有する。
【実施例】
【００２１】
以下、図面を参照しながら実施例１を説明する。図１はカバー固定式グロメット及びワイヤハーネスの斜視図である。また、図２はカバー固定式グロメット及びワイヤハーネスの斜視図、図３は図２のカバー固定式グロメットの拡大図、図４は図２のＡ−Ａ線断面図、図５は図４の矢印Ｂ部分の拡大図、図６はグロメットインナーの斜視図、図７はカバーの斜視図である。
【００２２】
＜カバー固定式グロメット２１及びワイヤハーネス２２について＞
図１において、カバー固定式グロメット２１はワイヤハーネス２２に設けられ、このワイヤハーネス２２は自動車２３に配索される。カバー固定式グロメット２１は、床下パネル２４（パネル）の取付孔２５（図５参照）を貫通する電線２６に対し組み付けられる。尚、上記パネルは床下パネル２４に限らないものとする。例えば、エンジンルームと車室内との間のパネルなどであってもよいものとする。この他、上記自動車は一般的なガソリンエンジンやディーゼルエンジンを搭載する自動車に限らず、モーターを駆動源とする電気自動車などであってもよいものとする。カバー固定式グロメット２１は、以下の説明で分かるようになるが、止水が必要な箇所において何らかの要因で電線２６が曲げられたとしても（又は衝撃を受けたとしても）、その曲げ（や衝撃）に起因したズレを阻止して止水性能を維持することができるものとして提供される。
【００２３】
＜ワイヤハーネス２２の構成について＞
図２において、ワイヤハーネス２２は、ハーネス本体２７と、このハーネス本体２７の各端末に設けられるコネクタ２８と、ハーネス本体２７を配索経路に沿って固定するための固定部材（図示省略）と、本発明の特徴部材であるカバー固定式グロメット２１とを備えて構成される。ハーネス本体２７は、本実施例において三本の電線２６と、この三本の電線２６の一部を保護する図示しないコルゲートチューブとを備えて構成される（構成は一例であるものとする）。三本の電線２６は、このうち一本が径の小さな細物で構成される（本数や太さは一例であるものとする。また、高圧電線及び低圧電線のいずれであってもよいものとする）。コネクタ２８は、三本の電線２６の各端末に設けられる金属製の端子金具と、この端子金具を収容する樹脂製のコネクタハウジングとを備えて構成される。コネクタ２８は、図示しない車載機器に対し電気的に接続するための部分として設けられる。本実施例のハーネス本体２７は、床下パネル２４に沿って配索される。このような配索であるため、ハーネス本体２７は長尺なものに形成される。
【００２４】
＜カバー固定式グロメット２１の構成について＞
図２及び図３において、カバー固定式グロメット２１は、グロメット２９と、カバー３０とを備えて構成される。カバー固定式グロメット２１は、床下パネル２４に設けられるスタッドボルト３１（図４参照）と、このスタッドボルト３１に組み付けられるナット３２（図４参照）により固定される。カバー固定式グロメット２１は、ワイヤハーネス２２と、床下パネル２４の取付孔２５（図５参照）との挿通部分における水分の浸入を防止する（止水する）ための構造の一つとして採用される。別な言い方をすれば、パネル外（室外３３）からパネル内（室内３４）への水分の浸入を防止するための防水構造（止水構造３５）の一つとして床下パネル２４の取付孔２５と共に採用される。止水構造３５は、カバー固定式グロメット２１と、床下パネル２４の取付孔２５と、一対のスタッドボルト３１と、同じく一対のナット３２とを備えて構成される。取付孔２５は、平面視長円形状に貫通する孔部分に形成される（形状は一例であるものとする）。一対のスタッドボルト３１は、取付孔２５の周縁且つ室内３４側に突出するように配設される。
【００２５】
＜グロメット２９について＞
図２ないし図５において、グロメット２９は、筒状のグロメットインナー３６と、このグロメットインナー３６に装着されるグロメットアウター３７とを備えて構成される。グロメットインナー３６は樹脂成形品であり、グロメットアウター３７は例えばゴム製の弾性体である。グロメットインナー３６は、グロメットアウター３７よりも剛性を有する。グロメットインナー３６は、グロメットアウター３７が弾性変形しても潰れ等が生じないものとする。グロメット２９は、以上からも分かるように、材質の異なる二部材から構成される。グロメット２９は、床下パネル２４の取付孔２５に対し挿通されるような、且つ、取付孔２５に対し係合するような、且つ、取付孔２５の周縁内側に対し水密に密着するような二部材で構成される。
【００２６】
＜グロメットインナー３６について＞
図２ないし図６において、グロメットインナー３６は、上記の如く樹脂成形品であり且つグロメットアウター３７と異なり剛性を有する。グロメットインナー３６は、インナー本体部３８と、四つの係合アーム３９と、アームベース部４０と、装着部４１とを有して図６に示すような外観形状に形成される。インナー本体部３８は、平面視長円形状の筒状に形成される。インナー本体部３８は、床下パネル２４の取付孔２５の開口形状に合わせて形成される。インナー本体部３８は、この一端に装着部４１が連成されるとともに、他端にアームベース部４０が連成される。インナー本体部３８は、取付孔２５に対し挿通されて上記他端が室外３３側に突出するように形成される。アームベース部４０は、インナー本体部３８の上記他端から折り返すような壁状の部分に形成される。アームベース部４０は、インナー本体部３８の外周面に対し所定の間隔をあけて配置される。このようなアームベース部４０の端部には、係合アーム３９が二対で合計四箇所、形成される。係合アーム３９は、取付孔２５の縁に係合する部分として形成される。係合アーム３９は、例えばコネクタで言う所謂ランスのような部分に形成される。係合アーム３９は、アームベース部４０との連続部分が撓み可能に形成される。
【００２７】
＜装着部４１について＞
図４ないし図６において、装着部４１は、インナー本体部３８の上記一端に連成される。装着部４１は、グロメットアウター３７の装着部分として形成される。装着部４１は、環状でフランジ形状に形成される。装着部４１は、取付孔２５の周縁の面に対し略平行な部分に形成される。このような装着部４１において、床下パネル２４側に第一面４２を有する。また、装着部４１は、第一面４２の反対側に第二面４３を有する。また、装着部４１は、周縁部４４を有する。尚、引用符号４５及び４６の孔は、樹脂成形において必要な型抜き孔を示すものとする。第二面４３には、第二押圧突条４７が形成される（尚、「第二」とあるが、「第一」の方の第一押圧突条６３に関しては後述するものとする）。第二押圧突条４７は、後述するカバー本体部５５に向けて（図の上方に向けて）短く突出する突条の部分に形成される。また、第二押圧突条４７は、周縁部４４の近傍で平面視長円形状に一周のびる環状の突条部分に形成される。第二押圧突条４７は、後述する収容部５１の一部を弾性変形状態に押圧する部分に形成される。第二押圧突条４７は、グロメットアウター３７のズレを阻止するための一つの部分として形成される。第二押圧突条４７は、収容部５１との装着性に配慮して短く突出するような部分に形成される。この他、装着部４１には、一対の舌片部４８が形成される。一対の舌片部４８は、装着部４１と同様、グロメットアウター３７の装着部分として形成される。一対の舌片部４８は、装着部４１の周縁部４４から突出するように形成される。一対の舌片部４８は、グロメットアウター３７に対して、装着位置決め、脱落防止等に有効な部分として形成される。
【００２８】
＜グロメットアウター３７について＞
図２ないし図５において、グロメットアウター３７は、上記の如く弾性体であって、例えばエチレン・プロピレン・ジエンゴム（ＥＰＤＭ）等により成形される。グロメットアウター３７は、アウター本体部４９と、三本の電線挿通部５０と、収容部５１と、リップ部５２とを有して図示形状に形成される。アウター本体部４９は、グロメットインナー３６におけるインナー本体部３８の筒開口６５（図６参照）を覆う部分として形成される。アウター本体部４９は、グロメットアウター３７の中で最も厚肉部分に形成される。アウター本体部４９の一方の面には、カバー３０により面押しされる被押圧面５３が形成される。被押圧面５３は、上記一方の面の一部として形成される。被押圧面５３は、収容部５１に近い周縁部に配置される。アウター本体部４９の所望の位置には、三本の電線挿通部５０が一体に形成される。三本の電線挿通部５０は、この端部が上記一方の面に開口するように形成される。上記一方の面の反対側の、アウター本体部４９の他方の面からは、三本の電線挿通部５０が比較的長く且つ真っ直ぐにのびるように連成される。三本の電線挿通部５０は、それぞれ円筒形状に形成される。三本の電線挿通部５０は、このうち一本が小径なものに形成される。三本の電線挿通部５０には、電線２６に対する挿通空間５４が形成される。挿通空間５４は、アウター本体部４９を貫通するように形成される。三本の電線挿通部５０は、電線２６に対し密着するような状態にするため、電線２６の径よりも若干小さな径に形成される。三本の電線挿通部５０は、グロメット２９を床下パネル２４の取付孔２５に対し挿通する際に、作業者が手で持って引っ張れるような適宜長さの部分に形成される。
【００２９】
＜収容部５１について＞
図４及び図５において、収容部５１は、グロメットインナー３６の装着部４１を収容することができるような形状の部分に形成される。具体的には、第一面４２、第二押圧突条４７を有する第二面４３、及び周縁部４４を長円形の全周にわたり覆うような断面Ｕ字状の部分に収容部５１は形成される。また、収容部５１は、第一面４２、第二押圧突条４７を有する第二面４３、及び周縁部４４に対し密着するような断面Ｕ字状の部分に形成される。収容部５１は、装着部４１を収容する部分が凹状に形成されるとともに、全体がアウター本体部４９に比して十分に薄肉な部分に形成される。収容部５１は、図５の断面形状で見た場合、第二押圧突条４７を有する第二面４３を覆う部分がアウター本体部４９に連続し、第一面４２を覆う部分はリップ部５２に連続するように形成される。
【００３０】
＜リップ部５２について＞
図５において、リップ部５２は、収容部５１の床下パネル２４側の端部に連成される。リップ部５２は、取付孔２５の周縁内側に対し水密に密着する部分に形成される。もう少し詳しく説明すると、リップ部５２は、上記端部に連成される断面アーム形状で且つこの形状が一周となる環状の第一部分（符号省略）と、この第一部分の端部に形成されて取付孔２５の周縁内側に対し最初に接触する第二部分（所謂リップ。符号省略）とを有し、カバー３０からの押圧を受けて弾性変形し、そしてこの弾性変形にて上記周縁内側に密着するような部分に形成される。尚、リップ部５２が水密に密着する部分をシール部分（止水部分）と呼ぶものとする。リップ部５２は、後述する第一押圧突条６３の位置に合わせて配置される。このような配置により、リップ部５２は第一押圧突条６３からの押圧を活用してシール（止水）の性能を高めることができる。
【００３１】
＜グロメットアウター３７におけるその他の部分について＞
図示されていないが、グロメットアウター３７には、グロメットインナー３６の一対の舌片部４８に対応する部分が形成される。この部分は、カバー３０の後述する係合部５７、５８が係合するような突出部分として形成される。
【００３２】
＜カバー３０について＞
図２、図３、図４、図５、及び図７において、カバー３０は、グロメット２９を床下パネル２４に対し水密に固定するための部材として備えられる。カバー３０は、樹脂成形品であって、グロメットインナー３６と同様に剛性を有する（後述する第一押圧突条６３と同じ機能を有する部分を形成できれば、樹脂成形品でなくてもよいものとする）。カバー３０は、電線２６に対し挿通されるような状態に組み付けられる。このようなカバー３０は、カバー本体部５５と、一対の固定部５６と、係合部５７、５８とを有して図示の外観形状に形成される。カバー本体部５５は、グロメットアウター３７を覆う部分として形成される。カバー本体部５５は、カバー開口部５９を有する押圧壁６０と、この押圧壁６０の周縁に連続する側壁６１とを有し、断面Ｌ字状で且つこの形状が一周となる環状に形成される。押圧壁６０の内面には、グロメットアウター３７の被押圧面５３を面押しするような押圧面６２が形成される。また、押圧壁６０の内面には、第一押圧突条６３も形成される。押圧面６２は、カバー開口部５９側に配置形成される。第一押圧突条６３は、押圧面６２と側壁６１との間に配置形成される。また、第一押圧突条６３は、グロメットインナー３６の装着部４１における第二押圧突条４７よりも内側（電線２６側）に配置形成される。第一押圧突条６３及び第二押圧突条４７は、取付孔２５の径方向にずれた位置に配置形成される。第一押圧突条６３は、装着部４１の第二面４３に向けて突出し且つこの突出形状が一周となる環状に形成される。第一押圧突条６３は、グロメットアウター３７の収容部５１を、装着部４１の第二面４３との間で挟み込んで弾性変形状態に押圧することができる部分に形成される。第一押圧突条６３は、第二押圧突条４７と共に収容部５１を断面Ｓ字状の弾性変形状態に押圧することができるような部分に形成される。
【００３３】
一対の固定部５６は、スタッドボルト３１及びナット３２にて床下パネル２４に固定される部分として形成される。一対の固定部５６は、カバー本体部５５の側壁６１から突出する脚状の部分に形成される。一対の固定部５６における引用符号６４は、スタッドボルト３１に対するボルト挿通孔を示すものとする。係合部５７、５８は、装着部４１の一対の舌片部４８がある部分に対応するように形成される。係合部５７、５８は、突出部分となる形状に形成される。
【００３４】
＜カバー固定式グロメット２１の組み付け等について＞
図２ないし図５において、三本の電線２６の端末にコネクタ２８が設けられる前にグロメット２９は三本の電線２６に組み付けられる。また、この時にカバー３０も三本の電線２６に挿通される（カバー３０は後からの挿通であってもよいものとする）。三本の電線２６に対しグロメット２９の組み付け及びカバー３０の挿通が終わりコネクタ２８が端末に設けられた後には、また、ハーネス本体２７が所定の形態に組み付けられた後には、ワイヤハーネス２２が完成する。ワイヤハーネス２２は、所定の経路に沿って配索される。この配索にあたり、グロメット２９は床下パネル２４の取付孔２５に組み付けられる（図４の矢印Ｒが組み付け方向を示す）。また、カバー３０が床下パネル２４に固定されると、この時、グロメット２９は床下パネル２４に対して水密に固定される。グロメット２９とカバー３０とが一体化することによりカバー固定式グロメット２１の組み付けが完了し、取付孔２５を含んで止水構造３５が形成される。
【００３５】
＜カバー固定式グロメット２１の作用効果について＞
以上、図１ないし図７を参照しながら説明してきたように、本発明の一実施形態であるカバー固定式グロメット２１によれば、グロメットインナー３６の装着部４１を覆うようにしてグロメットアウター３７の収容部５１が装着され、そしてこの収容部５１の一部がカバー３０の第一押圧突条６３にて押圧されると、上記一部が装着部４１と第一押圧突条６３とにより押し潰されて挟み込まれた状態、すなわち弾性変形状態になることから、従来ではズレが生じるような引っ張り力（矢印Ｑ方向の力。例えば矢印Ｐ１、Ｐ２方向の力に起因して生じるものとする）が働いたとしても、その力がリップ部５２まで作用することはなく、結果、シール部分（止水部分）にズレを生じさせず止水性能を維持することができるという効果を奏する。また、カバー固定式グロメット２１によれば、収容部５１の一部が装着部４１における第二面４３から突出する第二押圧突条４７によっても押圧され、そして弾性変形状態になることから、上記引っ張り力が働いたとしても、その力がリップ部５２まで作用することはなく、結果、止水性能を維持することができるという効果を奏する。また、カバー固定式グロメット２１によれば、第一押圧突条６３及び第二押圧突条４７にて収容部５１の一部を断面Ｓ字状の弾性変形状態に押圧することから、上記引っ張り力が働いたとしても、その力に抗し易い断面形状に弾性変形させることができるという効果を奏する。
【００３６】
カバー固定式グロメット２１によれば、引っ張り力の作用に起因したズレを阻止して止水性能を維持することができるという効果を奏する。この他、ワイヤハーネス２２によれば、カバー固定式グロメット２１を備えることから、より良いものを提供することができるという効果を奏する。
【００３７】
本発明は本発明の主旨を変えない範囲で種々変更実施可能なことは勿論である。
【００３８】
上記実施例の説明では、第一押圧突条６３及び第二押圧突条４７にて収容部５１の一部を弾性変形状態に押圧していたが、これに限らず第一押圧突条６３のみ（第二押圧突条４７を形成しない）で押圧しても十分に効果が得られるのは勿論である。また、図５に示す如く第一押圧突条６３が内側、第二押圧突条４７が外側になるように配置されているが、これに限らず第一押圧突条６３が外側、第二押圧突条４７が内側になるような配置であっても十分に効果が得られるのは勿論である。この他、第一押圧突条６３及び第二押圧突条４７における各先端の形状を断面半円形に図示しているが、この形状は一例であるものとする。矢印Ｑ方向の引っ張り力に抗するために、上記各先端に例えばエッジ部分があるような形状にし、引っ掛かりを生じさせるようにしてもよいものとする。
【符号の説明】
【００３９】
２１…カバー固定式グロメット、  ２２…ワイヤハーネス、  ２３…自動車、  ２４…床下パネル（パネル）、  ２５…取付孔、  ２６…電線、  ２７…ハーネス本体、  ２８…コネクタ、  ２９…グロメット、  ３０…カバー、  ３１…スタッドボルト、  ３２…ナット、  ３３…室外、  ３４…室内、  ３５…止水構造、  ３６…グロメットインナー、  ３７…グロメットアウター、  ３８…インナー本体部、  ３９…係合アーム、  ４０…アームベース部、  ４１…装着部、  ４２…第一面、  ４３…第二面、  ４４…周縁部、  ４５、４６…型抜き孔、  ４７…第二押圧突条、  ４８…舌片部、  ４９…アウター本体部、  ５０…電線挿通部、  ５１…収容部、  ５２…リップ部、  ５３…被押圧面、  ５４…挿通空間、  ５５…カバー本体部、  ５６…固定部、  ５７、５８…係合部、  ５９…カバー開口部、  ６０…押圧壁、  ６１…側壁、  ６２…押圧面、  ６３…第一押圧突条、  ６４…ボルト挿通孔、  ６５…筒開口
【図１】
2020198699.tif 000003
【図２】
2020198699.tif 000004
【図３】
2020198699.tif 000005
【図４】
2020198699.tif 000006
【図５】
2020198699.tif 000007
【図６】
2020198699.tif 000008
【図７】
2020198699.tif 000009
【図８】
2020198699.tif 000010